(57)【要約】【課題】タッチパネルなど、キー操作によってフォーカス要素を順次切り替えることができない入力方法を用いて、マークアップ言語にしたがって記述されたコンテンツに含まれる表示要素を選択する場合において、フォーカス可能要素を容易にユーザに判【解決手段】本発明に係る表示制御方法では、フォーカス可能要素を他の表示要素と同様に表示する通常表示、またはユーザが表示要素の中からフォーカス可能要素別させることができる表示制御装置及び表示制御方法を提供するを判別できるようにフォーカス可能要素を表示する判別用表示の何れかに切り替えられる。【選択図】図４
2008059359.tif 000002
【特許請求の範囲】
【請求項１】
マークアップ言語にしたがって記述されたコンテンツに含まれる表示要素の表示を制御する表示制御装置であって、
前記表示要素には、ユーザが選択操作することができるフォーカス可能要素が含まれ、
前記フォーカス可能要素を他の表示要素と同様に表示する通常表示、または前記ユーザが前記表示要素の中から前記フォーカス可能要素を判別できるように前記フォーカス可能要素を表示する判別用表示の何れかに切り替える切替制御部を備える表示制御装置。
【請求項２】
前記ユーザによる切替操作を受け付ける操作受付部をさらに備え、
前記切替制御部は、前記操作受付部が前記切替操作を受け付けた場合、前記通常表示から前記判別用表示に切り替える請求項１に記載の表示制御装置。
【請求項３】
前記切替制御部は、前記通常表示と前記判別用表示とを所定の周期で切り替える請求項１に記載の表示制御装置。
【請求項４】
前記切替制御部は、前記判別用表示をしている場合、前記フォーカス可能要素に対応付けられている処理であるキーイベントの実行を有効にする請求項１乃至３の何れか一項に記載の表示制御装置。
【請求項５】
前記切替制御部は、前記判別用表示において、前記フォーカス可能要素を他の表示要素よりも強調して表示する請求項１乃至４の何れか一項に記載の表示制御装置。
【請求項６】
マークアップ言語にしたがって記述されたコンテンツに含まれる表示要素の表示を制御する表示制御方法であって、
前記表示要素には、ユーザが選択操作することができるフォーカス可能要素が含まれ、
前記フォーカス可能要素を他の表示要素と同様に表示するステップと、
前記ユーザが前記表示要素の中から前記フォーカス可能要素を判別できるように前記フォーカス可能要素を表示するステップと
を備える表示制御方法。
【請求項７】
前記ユーザによる切替操作を受け付けるステップをさらに備え、
前記切替操作を受け付けた場合、前記通常表示から前記判別用表示に切り替えられる請求項６に記載の表示制御方法。
【請求項８】
前記ユーザが前記表示要素の中から前記フォーカス可能要素を判別できるように前記フォーカス可能要素を表示している場合、前記フォーカス可能要素に対応付けられている処理であるキーイベントの実行を有効にする請求項６または７に記載の表示制御方法。
【請求項９】
前記フォーカス可能要素を他の表示要素よりも強調して表示することによって、前記ユーザが前記表示要素の中から前記フォーカス可能要素を判別できるように前記フォーカス可能要素を表示する請求項６乃至８の何れか一項に記載の表示制御方法。
【発明の詳細な説明】
【技術分野】
【０００１】
本発明は、マークアップ言語にしたがって記述されたコンテンツに含まれる表示要素の表示を制御する表示制御装置及び表示制御方法に関する。
【背景技術】
【０００２】
地上デジタル放送（地上デジタルテレビ放送及び地上デジタルラジオ放送を含む）では、Broadcast Markup Language（ＢＭＬ）にしたがって記述されたコンテンツ（以下、ＢＭＬコンテンツという）によって構成されるデータ放送が行われている。地上デジタル放送を受信するテレビなどは、ＢＭＬブラウザを用いてＢＭＬコンテンツを画面に表示する。
【０００３】
ＢＭＬブラウザは、ユーザの操作などに応じてフォーカス表示を制御する表示制御機能（表示制御装置）を有する。フォーカス表示とは、ユーザによるキー操作などよって、画面に表示されている表示要素の中から選択された特定の表示要素をユーザが判別可能に表示することをいう。
【０００４】
フォーカス表示されている表示要素は、フォーカス要素と呼ばれる。また、フォーカス表示が可能な表示要素、つまり、ユーザが選択可能な表示要素は、フォーカス可能要素と呼ばれる。また、フォーカス可能要素には、所定の処理（例えば、リンク先へのジャンプ）を実行させるキーイベントを対応付けることができる。
【０００５】
また、このようなＢＭＬコンテンツに含まれるフォーカス可能要素を、方向キーなどのキー入力デバイスではなく、タッチパネルを用いて選択する方法が開示されている（例えば、特許文献１）。
【特許文献１】特開２００３−２８３８６６号公報（第５頁、第１図）
【発明の開示】
【発明が解決しようとする課題】
【０００６】
しかしながら、上述したＢＭＬコンテンツに含まれる表示要素を、タッチパネルを用いて選択する方法には、次のような問題があった。すなわち、ＢＭＬコンテンツなど、マークアップ言語にしたがって記述されたコンテンツに含まれる表示要素を、キー入力デバイスでなくタッチパネルを用いて選択する場合、キー入力デバイスのよるキー操作によってフォーカス要素を順次切り替えることができないため、ユーザは、画面に表示されている表示要素の中から、フォーカス可能要素を容易に判別することができないといった問題があった。
【０００７】
なお、地上デジタル放送では、ＢＭＬコンテンツの制作者の意図どおりに表示要素を表示する必要があるため、ＨＴＭＬブラウザでは慣習的に行われているフォーカス可能要素を表示制御装置側において自動的に識別可能に表示すること（例えば、表示要素にアンダーラインを付加する）は行われていない。
【０００８】
そこで、本発明は、このような状況に鑑みてなされたものであり、タッチパネルなど、キー操作によってフォーカス要素を順次切り替えることができない入力方法を用いて、マークアップ言語にしたがって記述されたコンテンツに含まれる表示要素を選択する場合において、フォーカス可能要素を容易にユーザに判別させることができる表示制御装置及び表示制御方法を提供することを目的とする。
【課題を解決するための手段】
【０００９】
上述した問題を解決するため、本発明は、次のような特徴を有している。まず、本発明の第１の特徴は、マークアップ言語（ＢＭＬ）にしたがって記述されたコンテンツ（ＢＭＬコンテンツＣ１０）に含まれる表示要素（例えば、表示要素１０Ａ）の表示を制御する表示制御装置（表示制御部１０７）であって、前記表示要素には、ユーザが選択操作することができるフォーカス可能要素（例えば、表示要素１０Ａ〜１０Ｄ）が含まれ、前記フォーカス可能要素を他の表示要素（例えば、表示要素１１）と同様に表示する通常表示、または前記ユーザが前記表示要素の中から前記フォーカス可能要素を判別できるように前記フォーカス可能要素を表示する判別用表示の何れかに切り替える切替制御部（表示制御部１０７）を備えることを要旨とする。
【００１０】
このような表示制御装置によれば、フォーカス可能要素を他の表示要素と同様に表示する通常表示と、ユーザが表示要素の中からフォーカス可能要素を判別できるようにフォーカス可能要素を表示する判別用表示とが切り替えられる。
【００１１】
このため、タッチパネルなど、キー操作によってフォーカス要素を順次切り替えることができない入力方法を用いて、マークアップ言語にしたがって記述されたコンテンツに含まれる表示要素を選択する場合において、フォーカス可能要素を容易にユーザに判別させることができる。
【００１２】
本発明の第２の特徴は、本発明の第１の特徴に係り、前記ユーザによる切替操作を受け付ける操作受付部（表示部１０９及び画面タッチ検出部１１１）をさらに備え、前記切替制御部は、前記操作受付部が前記切替操作を受け付けた場合、前記通常表示から前記判別用表示に切り替えることを要旨とする。
【００１３】
本発明の第３の特徴は、本発明の第１の特徴に係り、前記切替制御部は、前記通常表示と前記判別用表示とを所定の周期（例えば、２秒毎）で切り替えることを要旨とする。
【００１４】
本発明の第４の特徴は、本発明の第１乃至第３の特徴に係り、前記切替制御部は、前記判別用表示をしている場合、前記フォーカス可能要素に対応付けられている処理であるキーイベント（例えば、リンク先へのジャンプ）の実行を有効にすることを要旨とする。
【００１５】
本発明の第５の特徴は、本発明の第１乃至第４の特徴に係り、前記切替制御部は、前記判別用表示において、前記フォーカス可能要素を他の表示要素よりも強調して表示することを要旨とする。
【００１６】
本発明の第６の特徴は、マークアップ言語にしたがって記述されたコンテンツに含まれる表示要素の表示を制御する表示制御方法であって、前記表示要素には、ユーザが選択操作することができるフォーカス可能要素が含まれ、前記フォーカス可能要素を他の表示要素と同様に表示するステップと、前記ユーザが前記表示要素の中から前記フォーカス可能要素を判別できるように前記フォーカス可能要素を表示するステップとを備えることを要旨とする。
【００１７】
本発明の第７の特徴は、本発明の第６の特徴に係り、前記ユーザによる切替操作を受け付けるステップをさらに備え、前記切替操作を受け付けた場合、前記通常表示から前記判別用表示に切り替えられることを要旨とする。
【００１８】
本発明の第８の特徴は、本発明の第６または第７の特徴に係り、前記ユーザが前記表示要素の中から前記フォーカス可能要素を判別できるように前記フォーカス可能要素を表示している場合、前記フォーカス可能要素に対応付けられている処理であるキーイベントの実行を有効にすることを要旨とする。
【００１９】
本発明の第９の特徴は、本発明の第６乃至第８の特徴に係り、前記フォーカス可能要素を他の表示要素よりも強調して表示することによって、前記ユーザが前記表示要素の中から前記フォーカス可能要素を判別できるように前記フォーカス可能要素を表示することを要旨とする。
【発明の効果】
【００２０】
本発明の特徴によれば、タッチパネルなど、キー操作によってフォーカス要素を順次切り替えることができない入力方法を用いて、マークアップ言語にしたがって記述されたコンテンツに含まれる表示要素を選択する場合において、フォーカス可能要素を容易にユーザに判別させることができる表示制御装置及び表示制御方法を提供することができる。
【発明を実施するための最良の形態】
【００２１】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２２】
したがって、具体的な寸法などは以下の説明を参酌して判断すべきものである。また、図面相互間においても互いの寸法の関係や比率が異なる部分が含まれていることは勿論である。
【００２３】
（表示制御装置の全体概略構成）
図１は、本実施形態に係る表示制御装置を含むカーナビゲーション装置１００の概略斜視図である。図１に示すように、カーナビゲーション装置１００は、自動四輪車などの車両に搭載される。カーナビゲーション装置１００は、画像表示面１０９ａを備え、画像表示面１０９ａに地図情報などを表示する。
【００２４】
また、カーナビゲーション装置１００は、地上デジタル放送を受信する機能を備える。なお、地上デジタル放送には、地上デジタルテレビ放送と地上デジタルラジオ放送を含む。
【００２５】
カーナビゲーション装置１００は、ＢＭＬにしたがって記述されたＢＭＬコンテンツによって構成されるデータ放送を受信する機能も備える。ＢＭＬコンテンツによって構成されるデータ放送は、データ放送表示領域Ａ１に表示される。カーナビゲーション装置１００の前面下部には、「音量」キーなど、複数の操作キーよって構成される操作キー部１０１が設けられる。
【００２６】
（表示制御装置の機能ブロック構成）
図２は、本実施形態に係る表示制御装置を含むカーナビゲーション装置１００の機能ブロック構成図である。図２に示すように、カーナビゲーション装置１００は、操作キー部１０１、カーナビゲーション部１０３、デジタル放送受信部１０５、表示制御部１０７、表示部１０９及び画面タッチ検出部１１１を備える。なお、以下、本発明との関連がある部分について主に説明する。したがって、カーナビゲーション装置１００は、カーナビゲーション装置１００の機能を実現する上で必須な、図示しない或いは説明を省略した論理ブロック（電源部など）を備える場合があることに留意されたい。
【００２７】
操作キー部１０１は、上述したように、「音量」キーなど、複数の操作キーを有する。操作キー部１０１は、特定のキーがユーザによって押下されると、押下されたキーに応じた特定の信号を、カーナビゲーション部１０３、デジタル放送受信部１０５または表示制御部１０７に出力する。
【００２８】
カーナビゲーション部１０３は、カーナビゲーションの機能を提供する。具体的には、カーナビゲーション部１０３は、測位した現在地の情報と地図データとに基づいて生成した地図画像データを表示制御部１０７に出力する。
【００２９】
デジタル放送受信部１０５は、地上デジタル放送を受信する。また、デジタル放送受信部１０５は、ＢＭＬにしたがって記述されたＢＭＬコンテンツによって構成されるデータ放送を受信する。デジタル放送受信部１０５は、放送画像データを表示制御部１０７に出力する。
【００３０】
表示制御部１０７は、表示部１０９に表示される画像に関する制御を実行する。具体的には、表示制御部１０７は、カーナビゲーション部１０３から出力された地図画像データに基づいて地図画像を表示部１０９に表示させたり、デジタル放送受信部１０５から出力された放送画像データに基づいて放送画像を表示部１０９に表示させたりする。
【００３１】
特に、本実施形態では、表示制御部１０７は、マークアップ言語の一種であるＢＭＬにしたがって記述されたＢＭＬコンテンツＣ１０（図２において不図示、図４参照）に含まれる表示要素の表示を制御する。本実施形態において、表示制御部１０７は、表示制御装置を構成する。
【００３２】
具体的には、表示制御部１０７は、表示要素のうち、フォーカス表示が可能な表示要素、つまり、ユーザが選択操作することができるフォーカス可能要素を、他の表示要素と同様に表示する“通常表示”をすることができる。また、表示制御部１０７は、ユーザが表示要素の中からフォーカス可能要素を判別できるようにフォーカス可能要素を表示する“判別用表示”をすることができる。
【００３３】
表示制御部１０７は、所定の条件にしたがって、通常表示または判別用表示の何れかに切り替える。本実施形態において、表示制御部１０７は、切替制御部を構成する。
【００３４】
表示制御部１０７は、判別用表示において、フォーカス可能要素を他の表示要素よりも強調して表示する。具体的には、表示制御部１０７は、フォーカス可能要素の外縁部分を実線で囲むことによって、フォーカス可能要素を他の表示要素よりも強調して表示する。なお、表示制御部１０７は、実線に代えて、点線や一点鎖線などを用いることもできる。さらに、表示制御部１０７は、判別用表示において、フォーカス可能要素の色を変化させることもできる。
【００３５】
表示制御部１０７は、ユーザの切替操作を受け付けたことを示す信号を画面タッチ検出部１１１から取得した場合、通常表示から判別用表示に切り替えることもできる。さらに、表示制御部１０７は、通常表示と判別用表示とを所定の周期（例えば、２秒毎）で切り替えることもできる。
【００３６】
表示制御部１０７は、判別用表示をしている場合、フォーカス可能要素に対応付けられている処理であるキーイベントの実行、例えば、リンク先へのジャンプを有効にすることもできる。
【００３７】
なお、表示制御部１０７によるさらに具体的なフォーカス可能要素の表示例については、後述する。
【００３８】
表示部１０９は、表示制御部１０７から出力された画像データにしたがって、画像を表示する。本実施形態では、表示部１０９は、ＬＣＤによって構成される。
【００３９】
画面タッチ検出部１１１は、表示部１０９と接続されている。画面タッチ検出部１１１は、ユーザの指などが画像表示面１０９ａのうち、所定の領域に接触したことを検出する。特に、本実施形態では、画面タッチ検出部１１１は、ユーザの指などが画像表示面１０９ａに表示されている特定のフォーカス可能要素に接触したことを検出する。本実施形態では、表示部１０９と画面タッチ検出部１１１とによって、ユーザによる通常表示と判別用表示との切替操作を受け付ける操作受付部を構成する。
【００４０】
画面タッチ検出部１１１は、ユーザによる通常表示と判別用表示との切替操作を受け付けた場合、当該切替操作を受け付けたことを示す信号を出力する。
【００４１】
（表示制御装置の動作）
次に、カーナビゲーション装置１００の動作、具体的には、表示制御部１０７が、フォーカス可能要素の通常表示と判別用表示とを切り替える動作について説明する。
【００４２】
（１）動作例１
動作例１では、ユーザによる操作に基づいて、フォーカス可能要素が通常表示から判別用表示に切り替えられる。
【００４３】
図３は、動作例１に係る動作フローである。また、図４（ａ）〜（ｃ）は、動作例１に係るＢＭＬコンテンツＣ１０の表示状態を示す図である。
【００４４】
図３に示すように、ステップＳ１０において、表示制御部１０７は、ユーザがフォーカス可能要素の表示要求、具体的には、フォーカス可能要素の強調表示要求をしたか否かを判定する。具体的には、ユーザの指などが画像表示面１０９ａの所定の領域に接触したか否かを判定する。なお、本実施形態では、次の２つの方法を提供することができる。すなわち、（ｉ）画像表示面１０９ａ上に専用のソフトキー（所定の領域）を用意し、ユーザが当該ソフトキーにタッチした場合、または（ｉｉ）専用のソフトキーを用意せず、ユーザが画像表示面１０９ａの任意の箇所にタッチした場合に通常表示から判別用表示に切り替える。
【００４５】
図４（ａ）は、ＢＭＬコンテンツＣ１０の通常表示例を示す。図４（ａ）に示すように、ＢＭＬコンテンツＣ１０には、複数の表示要素が含まれる。具体的には、ＢＭＬコンテンツＣ１０には、表示要素１０Ａ〜１０Ｄ、１１、１２、２０及び３０が含まれている。
【００４６】
表示要素１０Ａ〜１０Ｄ（天気、スポーツ、ニュース、番組情報）、２０（音符のアイコン）及び３０（放送局サイトへ）は、フォーカス可能要素、つまり、ユーザが選択可能な表示要素である。表示要素１１、１２（話題一覧、音楽はこちらから）は、フォーカス表示が不可能な表示要素である。
【００４７】
図４（ａ）では、表示要素１０Ａがフォーカス表示されている。つまり、表示要素１０Ａは、フォーカス要素である。なお、ユーザは、ＢＭＬコンテンツＣ１０が表示されているデータ放送表示領域Ａ１に指などを接触させることによって、フォーカス可能要素の表示要求（強調表示要求）をすることができる。
【００４８】
フォーカス可能要素の表示要求があった場合（ステップＳ１０のＹＥＳ）、ステップＳ２０において、表示制御部１０７は、ＢＭＬコンテンツＣ１０に含まれるすべてのフォーカス可能要素を強調表示することによって、フォーカス可能要素を判別用表示に切り替える。具体的には、表示制御部１０７は、表示要素１０Ａ〜１０Ｄ、２０及び３０を強調表示する。
【００４９】
図４（ｂ）は、ＢＭＬコンテンツＣ１０に含まれるフォーカス可能要素の強調表示の一例を示す。図４（ｂ）に示すように、本実施形態では、表示制御部１０７は、表示要素１０Ａ〜１０Ｄ、２０及び３０の外縁部分を実線で囲むことによって、フォーカス可能要素を他の表示要素よりも強調して表示する。
【００５０】
また、図４（ｃ）は、ＢＭＬコンテンツＣ１０に含まれるフォーカス可能要素の強調表示のその他の例を示す。図４（ｃ）に示すように、フォーカス可能要素（表示要素１０Ａ〜１０Ｄ、２０及び３０）の色を変化させてもよい。なお、色を変化させることには、フォーカス可能要素の表示部分をいわゆる網かけ（シェーディング）状態とすることも含まれる。
【００５１】
表示制御部１０７は、ユーザによる所定の操作（例えば、フォーカス可能要素に対応付けられているキーイベントの発生）、または所定時間の経過に基づいて、フォーカス可能要素の強調表示、つまり、判別用表示から通常表示に復帰させる。
【００５２】
本実施形態では、判別用表示から通常表示への復帰は、通常表示から判別用表示への切替と同様に、（ｉ）専用のソフトキーへのタッチ、または（ｉｉ）画像表示面１０９ａの任意の箇所へのタッチ、に基づいて行われる。また、ユーザが操作キー部１０１に含まれる任意の操作キー（例えば、「音量」キー）を押下することによって、判別用表示から通常表示に復帰させてもよい。或いは、通常表示から判別用表示への切替から所定時間経過した場合に、判別用表示から通常表示に復帰させてもよい。
【００５３】
なお、フォーカス可能要素の判別用表示（強調表示）の方法は、上述した動作例１の内容に限定されるものではない。例えば、フォーカス可能要素へのアンダーラインの付加、フォーカス可能要素を他の表示要素よりも明るく表示（ハイライト表示）、或いはフォーカス可能要素の点滅によって、フォーカス可能要素の判別用表示をしてもよい。さらに、通常表示と判別用表示とを所定の周期（例えば、２秒毎）で切り替えても構わない。
【００５４】
また、ユーザの指などが画像表示面１０９ａに表示されているフォーカス可能要素に接触した場合、当該フォーカス可能要素を、強調表示にするとともにフォーカス要素にしてもよい。或いは、当該フォーカス可能要素を強調表示にせずにフォーカス要素にしてもよい。さらに、当該フォーカス要素に対応付けられているキーイベントを発生させてもよい。
【００５５】
（２）動作例２
動作例２では、動作例１と同様に、ユーザによる操作に基づいてフォーカス可能要素が通常表示から判別用表示に切り替えられる。さらに、動作例２では、ＢＭＬコンテンツＣ１０に含まれるすべてのフォーカス可能要素ではなく、何れかのフォーカス可能要素が順次通常表示から判別用表示に切り替えられる。
【００５６】
図５は、動作例２に係る動作フローである。また、図６（ａ）〜（ｃ）は、動作例２に係るＢＭＬコンテンツＣ１０の表示状態を示す図である。
【００５７】
図５に示すように、ステップＳ１１０において、表示制御部１０７は、ユーザがフォーカス可能要素の表示要求（強調表示要求）をしたか否かを判定する。
【００５８】
図６（ａ）は、図４（ａ）と同様に、ＢＭＬコンテンツＣ１０の通常表示例を示す。図６（ａ）では、表示要素１０Ａがフォーカス表示されている。つまり、表示要素１０Ａは、フォーカス要素である。
【００５９】
フォーカス可能要素の表示要求があった場合（ステップＳ１１０のＹＥＳ）、ステップＳ１２０において、表示制御部１０７は、ＢＭＬコンテンツＣ１０に含まれる何れかのフォーカス可能要素を強調表示することによって、フォーカス可能要素を判別用表示に切り替える。具体的には、図６（ｂ）に示すように、表示制御部１０７は、表示要素１０Ｂの外縁部分を実線で囲むことによって、表示要素１０Ｂを強調して表示する。
【００６０】
ステップＳ１３０において、表示制御部１０７は、表示要素１０Ｂを強調して表示してから一定時間（例えば、２秒間）が経過したか否かを判定する。
【００６１】
表示要素１０Ｂを強調して表示してから一定時間が経過した場合（ステップＳ１３０のＹＥＳ）、ステップＳ１４０において、表示制御部１０７は、強調して表示するフォーカス可能要素を切り替える。具体的には、図６（ｃ）に示すように、強調して表示するフォーカス可能要素を表示要素１０Ｂから表示要素１０Ｃに切り替える。
【００６２】
表示制御部１０７は、時間の経過に応じて、さらに他のフォーカス可能要素を順次強調表示する。
【００６３】
なお、上述した動作例１及び動作例２では、ユーザによるフォーカス可能要素の表示要求に基づいて、フォーカス可能要素を通常表示から判別用表示に切り替える例について説明したが、フォーカス可能要素の通常表示から判別用表示への切替は、必ずしもユーザによるフォーカス可能要素の表示要求に基づいていなくても構わない。例えば、ＢＭＬコンテンツＣ１０が画像表示面１０９ａ（データ放送表示領域Ａ１）に表示されてから一定時間、フォーカス可能要素を通常表示から判別用表示に切り替えてもよい。
【００６４】
（３）動作例３
動作例３では、強調表示されているフォーカス可能要素にユーザの指などが接触したことに基づいて、当該フォーカス可能要素がフォーカス要素に変更される。
【００６５】
図７は、動作例３に係る動作フローである。また、図８（ａ）〜（ｃ）は、動作例３に係るＢＭＬコンテンツＣ１０の表示状態を示す図である。
【００６６】
ステップＳ２１０において、表示制御部１０７は、ユーザが、強調表示されている何れかのフォーカス可能要素にタッチしたか否かを判定する。具体的には、表示制御部１０７は、ユーザの指などが、強調表示されている何れかのフォーカス可能要素に接触したか否かを判定する。
【００６７】
ここでは、図８（ａ）に示すように、ユーザは、強調表示されている表示要素２０にタッチする。図８（ａ）に示すＢＭＬコンテンツＣ１０では、表示要素１０Ａ（天気）がフォーカス表示されている（天気の文字の配色が他のフォーカス可能要素の配色と反転している）。つまり、図８（ａ）では、表示要素１０Ａがフォーカス要素である。
【００６８】
ユーザが強調表示されている何れかのフォーカス可能要素にタッチした場合（ステップＳ２１０のＹＥＳ）、ステップＳ２２０において、表示制御部１０７は、ユーザがタッチしたフォーカス可能要素をフォーカス要素に変更する。
【００６９】
具体的には、表示制御部１０７は、ユーザがタッチした表示要素２０をフォーカス要素に変更する。また、表示制御部１０７は、当該フォーカス要素に対応付けられているキーイベントを発生させてもよい。
【００７０】
図８（ｂ）は、ユーザが表示要素２０にタッチ後におけるＢＭＬコンテンツＣ１０の表示例を示す。図８（ｂ）に示すように、ユーザがタッチした表示要素２０の外縁部分が点線で囲まれている。一方、表示要素１０Ａ（天気）のフォーカス表示は解除されている（天気の文字の配色が他のフォーカス可能要素の配色と同様になる）。つまり、図８（ｂ）では、フォーカス要素が表示要素１０Ａから表示要素２０に変更されている。
【００７１】
また、図８（ｂ）に示す表示例では、フォーカス要素が表示要素１０Ａから表示要素２０に変更された後も、フォーカス可能要素の強調表示は保持される。
【００７２】
図８（ｃ）は、ユーザが表示要素２０にタッチ後におけるＢＭＬコンテンツＣ１０のその他の表示例を示す。図８（ｃ）に示す表示例では、フォーカス要素が表示要素１０Ａから表示要素２０に変更されると、フォーカス可能要素の強調表示は保持されず、フォーカス可能要素は、通常表示に復帰する。
【００７３】
（作用・効果）
カーナビゲーション装置１００（表示制御部１０７）によれば、フォーカス可能要素を他の表示要素と同様に表示する通常表示と、ユーザが表示要素の中からフォーカス可能要素を判別できるようにフォーカス可能要素を表示する判別用表示とが切り替わられる。
【００７４】
このため、タッチパネルなど、キー操作によってフォーカス要素を順次切り替えることができない入力方法を用いて、ＢＭＬにしたがって記述されたＢＭＬコンテンツＣ１０に含まれる表示要素を選択する場合において、フォーカス可能要素（表示要素１０Ａ〜１０Ｄ、２０及び３０）を容易にユーザに判別させることができる。
【００７５】
また、カーナビゲーション装置１００によれば、判別用表示は、常時ではなく所定の場合のみに限定される。このため、通常表示では、ＢＭＬコンテンツの制作者の意図どおりに表示要素を表示することができる。
【００７６】
本実施形態では、ユーザによる通常表示と判別用表示との切替操作を受け付けることができる。このため、所望のタイミングでフォーカス可能要素にユーザに判別させることができる。
【００７７】
また、本実施形態では、通常表示と判別用表示とを所定の周期（例えば、２秒毎）で切り替えることもできる。このため、ユーザが特に切替操作をしなくても、フォーカス可能要素にユーザに判別させることができる。
【００７８】
本実施形態では、フォーカス可能要素が強調表示されている場合、つまり、判別用表示をしている場合のみ、フォーカス可能要素に対応付けられている処理であるキーイベント（例えば、リンク先へのジャンプ）の実行を有効にすることによって、ユーザによる誤動作（ユーザが意図しないキーイベントが発生してしまうこと）を防止できる。
【００７９】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８０】
例えば、上述した本発明の実施形態では、ユーザの指などが画像表示面１０９ａの所定の領域に接触したか否かに基づいて、通常表示と判別用表示とを切り替える形態としたが、ユーザが操作キー部１０１の所定のキーを押下することによって、通常表示と判別用表示とを切り替える形態としてもよい。
【００８１】
また、上述した実施形態では、カーナビゲーション装置１００を例として説明したが、本発明は、タッチパネルなど、キー操作によってフォーカス要素を順次切り替えることができない入力方法を用いて、マークアップ言語にしたがって記述されたコンテンツに含まれる表示要素を選択する装置、例えば、カーナビゲーション機能を有さない車載用テレビや携帯情報端末（ＰＤＡ）にも勿論適用することができる。
【００８２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００８３】
【図１】本発明の実施形態に係る表示制御装置を含むカーナビゲーション装置の概略斜視図である。
【図２】本発明の実施形態に係る表示制御装置を含むカーナビゲーション装置の機能ブロック構成図である。
【図３】本発明の実施形態に係るフォーカス可能要素の表示動作フローを示す図である。
【図４】本発明の実施形態に係るコンテンツの表示例を示す図である。
【図５】本発明の実施形態に係るフォーカス可能要素の表示動作フローを示す図である。
【図６】本発明の実施形態に係るコンテンツの表示例を示す図である。
【図７】本発明の実施形態に係るフォーカス可能要素の表示動作フローを示す図である。
【図８】本発明の実施形態に係るコンテンツの表示例を示す図である。
【符号の説明】
【００８４】
１０Ａ〜１０Ｄ，１１，１２，２０，３０…表示要素、１００…カーナビゲーション装置、１０１…操作キー部、１０３…カーナビゲーション部、１０５…デジタル放送受信部、１０７…表示制御部、１０９…表示部、１０９ａ…画像表示面、１１１…画面タッチ検出部、Ａ１…データ放送表示領域、Ｃ１０…ＢＭＬコンテンツ
【図１】
2008059359.tif 000003
【図２】
2008059359.tif 000004
【図３】
2008059359.tif 000005
【図４】
2008059359.tif 000006
【図５】
2008059359.tif 000007
【図６】
2008059359.tif 000008
【図７】
2008059359.tif 000009
【図８】
2008059359.tif 000010